(57)【特許請求の範囲】
【請求項１】
所定の軸心周りに相対回動可能であり、その回動動作を通じて開閉する綴じ桿要素を有する一対の綴じ桿部材と、
前記一対の綴じ桿部材に対して軸心方向に相対変位可能としつつ前記一対の綴じ桿部材を支持するものであり、前記綴じ桿要素が閉ループを形成することにより紙葉類を綴じることができる綴じ位置及び当該綴じ位置から前記綴じ桿要素を開成し得るようにして前記紙葉類を当該綴じ桿要素から挿抜可能とした開放位置を選択的にとり得るベースと、
前記ベースの軸心方向における一端縁及び他端縁に挟まれた中間位置に設けられ、前記一対の綴じ桿部材に対し前記ベースを前記綴じ位置又は前記開放位置へ弾性付勢する弾性部材と、
前記ベースに設けられ、前記綴じ位置から前記開放位置に亘る動作範囲において前記一対の綴じ桿部材の軸心方向両端が前記ベースの軸心方向両端に対し軸心方向から交差する方向へ離間することを禁止する離間禁止部と
を有することを特徴とする綴じ具。
【請求項２】
前記弾性部材を、前記ベースの前記軸心方向における略中央に設けている請求項１記載の綴じ具。
【請求項３】
前記ベースが、前記開放位置において前記ベース及び前記一対の綴じ桿部材がそれぞれ同時に同一平面上に接地するように前記一対の綴じ桿部材の動作を許容する形状をなす請求項１又は２記載の綴じ具。
【請求項４】
前記弾性部材がコイルばねであり、このコイルばねが前記綴じ位置及び前記開放位置への前記一対の綴じ桿部材の軸心方向の動作による変形に対する伸縮方向の反力により前記一対の綴じ桿部材を弾性付勢するとともに、前記一対の綴じ桿部材のうち少なくとも一の綴じ桿部材の開閉方向の動作に対する前記コイルばね自体のねじり方向の反力により当該一の綴じ桿部材を弾性付勢している請求項１、２又は３記載の綴じ具。
【請求項５】
前記離間禁止部が、前記一対の綴じ桿部材の両端に設けた挿入軸を収容し得る軸収容穴である請求項１、２、３又は４記載の綴じ具。
【発明の詳細な説明】
【技術分野】
【０００１】
本発明は、紙葉類を綴じ止めることができる綴じ具に関するものである。
【背景技術】
【０００２】
ルーズリーフやクリアブックのリフィル等の紙葉類を綴じ止めることができるリング綴じ具（例えば、下記特許文献１を参照）が既知である。この種の綴じ具は、環状をなす綴じ桿要素が回動動作を通じて開閉可能となっており、任意に紙葉類を差し替えることができる。
【０００３】
従来の多くの綴じ具では、部分円弧状の対をなす綴じ桿要素の各先端部に鉤爪を形成しており、鉤爪の係合によって両綴じ桿要素の離反を阻止、綴じ桿を閉止状態に維持する。故に、綴じ桿を開放するためには、一方側の綴じ桿要素を他方側の綴じ桿要素に対し軸心方向に相対変位させる等して、鉤爪の係合を解消しなければならない。特に、綴じ桿を多数本配列しているものにおいては、それらの全てを一斉に開放する必要があることから、操作が煩瑣となる。
【０００４】
そこで現在では、ベースに支持された状態で所定の軸心周りに相対回動可能であり、その回動動作を通じて開閉する綴じ桿要素を有する一対の綴じ桿部材を有し、ベースを軸心方向にスライドさせることによって、前記綴じ桿要素が閉ループを形成することにより用紙を綴じることができる綴じ位置から前記綴じ桿要素を開成し得るようにして前記紙葉類を当該綴じ桿要素から挿抜可能とした開放位置とし得るようにした綴じ具が提案されている。
【０００５】
斯かる綴じ具は、ベースをスライド動作することによって容易に開放位置として、紙葉類の挿抜をし得るために従来のものよりも操作が煩雑とはならず、使用者が容易に取り扱うことができるものである。
【０００６】
しかしながら上記従来の綴じ具においても前記特許文献２記載の綴じ具においても、綴じ具を鞄等に収容して運搬しているとき等では軸心方向の両端が特に外方からの衝撃を受け易い。特にベースにおける軸心方向の何れかの端部へ強い衝撃を受けた場合、当該ベースが一対の綴じ桿部材に対し離間する方向に力が働いてしまうことがある。当該衝撃が一定以上強い場合には、ベースがその何れかの端部から一対の綴じ桿部材に対し徐々に剥がれて行くように分離してしまうという可能性も有してしまう。また当該端部において上述した分離が起こるとベースと一対の綴じ桿部材が離間するのみならず、これらに付帯する別異の部品まで分離してしまい、しかる後にベース及び綴じ桿部材を組み付けるのみでは別異の部品が脱落したままとなり、元の綴じ具としての機能を再現し得ないという事態も想定し得る。
【先行技術文献】
【特許文献】
【０００７】
【特許文献１】特開２０１０−１２０３６７号公報
【特許文献２】特許第５５９０１４２号公報
【発明の概要】
【発明が解決しようとする課題】
【０００８】
本発明は、このような不具合に着目したものであり、一対の綴じ桿部材とベースとが外れ難く安定して動作し得る綴じ具を提供することを目的としている。
【課題を解決するための手段】
【０００９】
本発明は、このような目的を達成するために、次のような手段を講じたものである。
【００１０】
すなわち本発明に係る綴じ具は、所定の軸心周りに相対回動可能であり、その回動動作を通じて開閉する綴じ桿要素を有する一対の綴じ桿部材と、前記一対の綴じ桿部材に対して軸心方向に相対変位可能としつつ前記一対の綴じ桿部材を支持するものであり、前記綴じ桿要素が閉ループを形成することにより用紙を綴じることができる綴じ位置及び当該綴じ位置から前記綴じ桿要素を開成し得るようにして前記紙葉類を当該綴じ桿要素から挿抜可能とした開放位置を選択的にとり得るベースと、前記ベースの軸心方向における一端縁及び他端縁に挟まれた中間位置に設けられ、前記一対の綴じ桿部材に対し前記ベースを前記綴じ位置又は前記開放位置へ弾性付勢する弾性部材と、前記ベースに設けられ、前記綴じ位置から前記開放位置に亘る動作範囲において前記一対の綴じ桿部材の軸心方向両端が前記ベースの軸心方向両端に対し軸心方向から交差する方向へ離間することを禁止する離間禁止部とを有することを特徴とする。
【００１１】
このようなものであれば、離間禁止部を設けることにより、ベースにおける軸心方向の何れかの端部へ強い衝撃を受けた場合であっても、当該ベースが一対の綴じ桿部材に対し離間する方向に力が働いてしまい一対の綴じ桿部材に対し徐々に剥がれて行くように分離してしまうという可能性を有効に排除することができる。その結果、通常使用する際におけるあらゆる状況において紙葉類を綴じた状態を安定して維持することができる。すなわち本発明によれば、一対の綴じ桿部材とベースとが外れ難く安定した動作を維持し得る綴じ具を提供することができる。
【００１２】
また、綴じ具の組み付けを容易に行い得るようにするためには、弾性部材を、ベースの軸心方向における略中央に設けることが望ましい。
【００１３】
そして、開放位置において綴じ具を安定させることにより、容易に紙葉類の加除作業を行い得る構成として、ベースを、開放位置においてベース及び一対の綴じ桿部材がそれぞれ同時に同一平面上に接地するように一対の綴じ桿部材の動作を許容する形状とすればよい。
【００１４】
簡素な構成を維持しつつ、綴じ位置及び開放位置間のスムーズな操作と綴じ要素の開閉方向に係るスムーズな動作とを両立するためには、弾性部材をコイルばねとし、このコイルばねが綴じ位置及び開放位置への一対の綴じ桿部材の軸心方向の動作による変形に対する伸縮方向の反力により一対の綴じ桿部材を弾性付勢するとともに、一対の綴じ桿部材のうち少なくとも一の綴じ桿部材の開閉方向の動作に対するコイルばね自体のねじり方向の反力により当該一の綴じ桿部材を弾性付勢するようにすることが好ましい。
【００１５】
簡素な構成にて構成し得る離間禁止部の一例として、当該離間禁止部が、一対の綴じ桿部材の両端に設けた挿入軸を収容し得る軸収容穴である態様を挙げることができる。
【発明の効果】
【００１６】
本発明によれば、一対の綴じ桿部材とベースとが外れ難く安定した動作を維持し得る綴じ具を提供することができる。
【図面の簡単な説明】
【００１７】
【図１】本発明の一実施形態に係る外観図。
【図２】同斜視図。
【図３】同平面図。
【図４】同実施形態に係る開放位置にある綴じ具の分解平面図。
【図５】図３に係るＢ−Ｂ線拡大断面図。
【図６】同Ｃ−Ｃ線拡大断面図。
【図７】同Ｄ−Ｄ線拡大断面図。
【図８】図３及び図４に係る綴じ具の綴じ位置を示すＡ−Ａ線拡大断面図。
【図９】同綴じ具の開放位置を示すＡ−Ａ線拡大断面図。
【図１０】図３の要部に係る拡大平面図。
【図１１】図１０に係る動作説明図。
【図１２】図３の要部に係る拡大平面図。
【図１３】図１２に係る動作説明図。
【図１４】同実施形態に係るコイルばねの外観図。
【図１５】同実施形態に係る綴じ位置にある綴じ具の要部を示す説明図。
【図１６】同実施形態に係る開放位置にある綴じ具の要部を示す説明図。
【発明を実施するための形態】
【００１８】
本発明の一実施形態を、図面を参照して説明する。図１〜図１６に示す本実施形態の綴じ具Ｔは、開閉可能な複数本の綴じ桿要素１２、２２を備えたいわゆるリング綴じ具と称されるものである。これら綴じ桿要素１２、２２は、予め紙葉類Ｓに穿たれている綴じ孔に挿通されて、紙葉類Ｓを綴じ得るように構成している。
【００１９】
特に、図１に示しているように、ノートの中紙となる複数枚のリーフやクリアブックのリフィル（さらには、表表紙や裏表紙）等といった紙葉類Ｓを綴じることで、リングノートとしての用途に供することができる。このリングノートは、ページを１８０°の角度に開いた見開き状態とすることが可能である。
【００２０】
本実施形態の綴じ具Ｔは、所定の軸心周りに互いに相対的に回動し、その回動動作を通じて開閉する綴じ桿要素１２、２２を有する第一の綴じ桿部材１及び第二の綴じ桿部材２と、両綴じ桿部材１、２を支持しつつこれら両綴じ桿部材１、２に対し軸心方向に相対変位することにより、綴じ桿要素が閉ループを形成することにより用紙を綴じることができる綴じ位置（Ｐ１）及び当該綴じ位置（Ｐ１）から綴じ桿要素１２、２２を開成し得るようにして紙葉類Ｓを当該綴じ桿要素１２、２２から挿抜可能とした開放位置（Ｐ２）を選択的にとり得るベース３と、このベース３を綴じ位置（Ｐ１）へ弾性付勢する弾性部材たるコイルばね４とを構成要素とする。
【００２１】
ここで、本実施形態に係る綴じ具Ｔは、弾性部材たるコイルばね４をベース３の軸心方向における一端縁及び他端縁に挟まれた中間位置に設け、さらに、綴じ位置（Ｐ１）から開放位置（Ｐ２）に亘る動作範囲において両綴じ桿部材１、２の軸心方向両端がベース３の軸心方向両端に対し軸心方向から交差する方向へ離間することを禁止する離間禁止部たる一端側軸収容部３７及び他端側軸収容部３８とを具備することを特徴とするものである。
【００２２】
以下、綴じ具Ｔの各構成要素について、図面を参照しつつ説明する。
【００２３】
第一の綴じ桿部材１の形状と第二の綴じ桿部材２の形状とは概ね相似している。第一の綴じ桿部材１は、軸心方向に対して平行に長尺な棒状の基体１１と、基体１１から伸び出した綴じ桿要素１２と、基体１１から離間し当該綴じ桿部材１の回転中心となる軸体１３と、この軸体１３を基体１１に連接する腕部１４と、コイルばね４を掛け止めるための開閉側フック１６と、一端縁及び他端縁でベースに軸支される一端側挿入軸１７及び他端側挿入軸１８とを備える。本実施形態では、これら基体１１、綴じ桿要素１２、軸体１３及び腕部１４、開閉側フック１６、及び両挿入軸１７、１８を樹脂一体成形している。
【００２４】
綴じ桿要素１２は多数本存在し、それらが軸心方向に沿って、例えば２６本等間隔に立ち並んでいる。個々の綴じ桿要素１２は、基体１１の外側面１１２から軸心方向に対して垂直な外側方に一旦直進して突き出し、その外方端から円弧を描くように湾曲して立ち上がっている。綴じ桿要素１２の直進部分の上面は、基体１１の頂面１１３と略面一である。綴じ桿要素１２の湾曲部分の断面は、軸心方向に少しく拡張した扁平な形状、略長円状または略角丸四角状をなす。なお、本実施形態では綴じ要素１２の数及び間隔を、いわゆるＢ５サイズの用紙に対する綴じ具（綴じ穴）のＪＩＳ規格（ＪＩＳ  Ｚ  ８３０３）に合わせたものとしているが勿論、当該仕様は綴じようとする紙葉類Ｓの大きさや綴じ穴の位置を限定するものではなく、綴じ桿要素１２の数及び配置は任意に設定することができる。
【００２５】
軸体１３は、円筒状の外周をなし、軸心方向に沿って伸長している。軸体１３は複数存在し、それらが同心軸上に所定の間隙を隔てて並んでいる。軸体１３は、その軸心が基体１１の内側面１１１と略同一平面上にあるように、基体１１からやや内側方に偏倚している。
【００２６】
軸体１３の一端面には凹部１３１を、他端面には凸部１３２を、それぞれ形成し、これら凹部１３１及び凸部１３２により第二の綴じ桿要素２と軸心周りに回動可能に接合し得るようにしている。凸部１３２は、軸体１３の軸心に重なる半球状の突起である。凹部１３１は、軸体１３の軸心位置から外側方に延びて軸体１３の外周にまで達した、即ち外側方に開口した凹溝であって、その内面は縦断面視（若しくは、外側面視）凸部１３２及び第二の綴じ桿要素２に設けた凸部２３２の径と同等の径の半円筒状をなしている。またその溝幅も凸部１３２、２３２の径に略等しい。さらには、凹部１３１の内方端縁もまた、横断面視（若しくは、軸心方向から見て）凸部１３２及び第二の綴じ桿要素２に設けた２３２の径と同等の径の半円弧状となっている。
【００２７】
腕部１４は、一つの軸体１３について二つ存在し、軸体１３の軸心方向に沿った両端部をそれぞれ基体１１に接合している。腕部１４における、基体１１の内側面１１１に連なる内方の側面１４１は、基体１１の内側面１１１に対して傾斜している。他方、腕部１４における、基体１１の外側面１１２に連なる外方の側面１４２は、基体１１の外側面１１２と略面一であるとともに、基体１１の底面１１４よりも若干突出するところまで垂下している。この腕部１４の外方の突出部１４３は、例えば軸心方向に沿った両端縁が外側面視アールをとったような曲面状としている。
【００２８】
また基体１１と軸体１３との狭間にある、腕部１４の対に挟まれた領域には、横断面視軸心回りの円環をなすようなスリット状の空隙１５が形成される。基体１１の外側面１１２と頂面１１３との隅角は、アールをとってある。
【００２９】
さらに基体１１の内側面１１１と一端側の端面との隅角は、軸心方向に対し交差する傾斜面１１６となるように若干切り落とした形状としている。
【００３０】
そして開閉側フック１６は、特に図１６に示すように、第一の綴じ桿部材１の基体１１の中央近傍に設けられている。開閉側フック１６は、コイルばね４の後述するねじれ動作端４２を支持するためのもので、基体１１の底面１１４から突出している。
【００３１】
一端側挿入軸１７及び他端側挿入軸１８は、図４、図５、図７、図１０〜図１３にそれぞれ示すように、本実施形態では第一の綴じ桿部材１の両端部分をさらに円柱状に突出させたものである。これら一端側挿入軸１７及び他端側挿入軸１８は、ベース３の軸心方向の動作範囲において、常に両方ともベース３の一部に収容された状態となっている。なお本実施形態ではこれら両挿入軸１７、１８を第一の綴じ桿部材１側にのみ形成したが勿論、このような軸を第二の綴じ桿部材２のみに設けたり、例えば断面視半円状をなすような互いに別異の形状をなす軸をそれぞれベース３側へ収容させたりする様な構成としてもよい。
【００３２】
第二の綴じ桿部材２は、第一の綴じ桿部材１側の基体１１と同等に長尺な棒状の基体２１と、基体２１から伸び出した綴じ桿要素２２と、基体２１から離間し当該綴じ桿部材２の回転中心となる軸体２３と、この軸体２３を基体２１に連接する腕部２４とを備える。そして、やはりこれら基体２１、綴じ桿要素２２、軸体２３及び腕部２４を樹脂一体成形している。
【００３３】
綴じ桿要素２２は、第一の綴じ桿部材１側の綴じ桿要素１２と対をなして環状すなわち閉ループ状の綴じ桿を軸心方向に例えば２６本構成する。各綴じ桿要素２２は、基体２１の外側面２１２から軸心方向に対して垂直な外側方に一旦直進して突き出し、その外方端から円弧を描くように湾曲して立ち上がっている。綴じ桿要素２２の直進部分の上面は、基体２１の頂面２１３と略面一である。綴じ桿要素２２の湾曲部分の断面は、軸心方向に少しく拡張した扁平な形状、略長円状または略角丸四角状をなす。本実施形態では、綴じ桿要素１２、２２の先端部を直線的に伸びるように形状を設定している。これにより、綴じ孔に綴じ桿要素１２、２２を挿通して綴じている紙葉類Ｓのページ繰り操作が円滑になる。のみならず、綴じ桿部材１、２の成形が容易になるという効用をも得られる。
【００３４】
軸体２３は、第一の綴じ桿部材１側の軸体１３と略同径の円筒状の外周をなし、軸心方向に沿って伸長している。軸体２３は複数存在し、それらが同心軸上に所定の間隙を隔てて並んでいる。これら軸体２３は、第一の綴じ桿部材１側の複数の軸体１３の間隙に収まるように配設してある。第二の綴じ桿部材２側の軸体２３の軸心方向寸法は第一の綴じ桿部材１側の軸体１３の間隙のそれに略等しく、第一の綴じ桿部材１側の軸体１３の軸心方向寸法は第二の綴じ桿部材２側の軸体２３の間隙のそれに略等しい。軸体２３は、その軸心が基体２１の内側面２１１と略同一平面上にあるように、基体２１からやや内側方に偏倚している。
【００３５】
軸体２３の一端面には凹部２３１を、他端面には凸部２３２を、それぞれ形成している。凹部２３１は、第一の綴じ桿部材１側の軸体１３の凸部１３２を収容する。逆に、凸部２３２は、第一の綴じ桿部材１側の軸体１３の凹部１３１に挿入する。凸部２３２は、軸体２３の軸心に重なる半球状の突起である。凹部２３１は、軸体２３の軸心位置から外側方に延びて軸体２３の外周にまで達した凹溝であって、その内面は縦断面視凸部１３２、２３２の径と同等の径の半円筒状をなしており、その溝幅も凸部１３２、２３２の径に略等しい。さらに、凹部２３１の内方端縁もまた、横断面視凸部１３２、２３２の径と同等の径の半円弧状となっている。
【００３６】
腕部２４は、軸体２３の軸心方向に沿った両端部をそれぞれ基体２１に接合している。腕部２４における、基体２１の内側面２１１に連なる内方の側面２４１は、基体２１の内側面２１１に対して傾斜している。他方、腕部２４における、基体２１の外側面２１２に連なる外方の側面２４２は、基体２１の外側面２１２と略面一であるとともに、基体２１の底面２１４よりも若干突出するところまで垂下している。この腕部２４の外方の突出部２４３は、例えば軸心方向に沿った両端縁が外側面視アールをとったような曲面状となっている。
【００３７】
また本実施形態では、基体２１と軸体２３との狭間にある、腕部２４の対に挟まれた領域には、横断面視軸心回りの円環をなすようなスリット状の空隙２５が形成される。そして基体２１の外側面２１２と頂面２１３との隅角は、アールをとってある。
【００３８】
さらに基体２１の内側面２１１と一端側の端面との隅角は、軸心方向に対し交差する傾斜面２１６となるように切り落とした形状としている。
【００３９】
ベース３は、軸心方向に対して平行に延伸し並立した側壁３１、３２と、両側壁３１、３２を連結する底壁３３と、軸心方向略中央位置に設けたスライド側フック３６と、軸心方向両端に設けた離間禁止部たる一端側軸収容部３７及び他端側軸収容部３８とを備える。本実施形態では、これら側壁３１、３２及び底壁３３を樹脂一体成形しており、側壁３１、３２と底壁３３とで略Ｃ字またはＵ字管状の周壁を形作っている。ベース３の全長は、綴じ桿部材１、２の基体１１、２１のそれよりも大きい。
【００４０】
各側壁３１、３２の上端縁には、複数箇所に切欠３１１、３２１を形成してある。一方側の側壁３１の切欠３１１の数は第一の綴じ桿部材１の腕部１４の数と同じであり、他方側の側壁３２の切欠３２１の数は第二の綴じ桿部材２の腕部２４の数と同じである。また、一方側の側壁３１の切欠３１１の位置は第一の綴じ桿部材１の腕部１４の配置に対応しており、他方側の側壁３２の切欠３２１の位置は第二の綴じ桿部材２の腕部２４の配置に対応している。それ故、切欠３１１と切欠３２１とは、軸心方向にずれている。切欠３１１、３２１の軸心方向に沿った開口幅寸法は、腕部１４、２４の軸心方向寸法よりも多少大きい。切欠３１１、３２１の下端は、側壁３１、３２の内側面近傍を除き、外側方に向かうほど下方に落ち込むように形成している。これにより本実施形態では、綴じ要素１２、２２をより大きく開成させ得るようにした当接面３１１ａ、３２１ａが形成される。
【００４１】
さらに、両側壁３１、３２における、切欠３１１、３２１の形成箇所から軸心方向に偏倚した場所に、突起３１２、３２２を設けている。突起３１２、３２２は、側壁３１、３２の内側面から内側方に対をなして突出している。
【００４２】
両側壁３１、３２の内法は、綴じ桿部材１、２の軸体１３、２３の径に略等しい。また、底壁３３は、軸体１３、２３の径に略等しい内径を有する略部分円筒となっている。因みに、底壁３３における、突起３１２、３２２の直下に穿たれている貫通孔３３１は、突起３１２、３２２を成形するための型抜き用の孔である。
【００４３】
ベース３の周壁３１、３２、３３によって包囲された内部空間は、ベース３の軸心方向に沿った両端部にて閉塞すべく、上記一端側挿入軸１７及び他端側挿入軸１８を収容するための一端側軸収容部３７及び他端側軸収容部３８が形成されている。これら一端側軸収容部３７及び他端側軸収容部３８の外面は、使用者がこれを把持するための把手としても使用可能である。また一端側軸収容部３７の上面に、拡開部３５を設けている。拡開部３５は、ベース３の他端に向かって延びるブロック状の部位で、その先端側に平面視くさび形をなすように両外側方を向いたテーパ面３５１、３５２を形成してある。拡開部３５のテーパ面３５１、３５２は、それぞれが軸心方向に対して交差しており、両綴じ桿部材１、２の基体１１、２１の一端に形成した各傾斜面１１６、２１６に略平行である。ベース３の拡開部３５と両綴じ桿部材１、２の基体１１、２１の一端とは、後述する操作力変換機構を構成する。
【００４４】
一端側軸収容部３７及び他端側軸収容部３８は、図４、図５、図７、図１０〜図１３にそれぞれ示すように、ベースの両端において軸心方向に沿って設けた開口であり、外方からはそのまま把手として使用できる形状をなす。これら一端側軸収容部３７及び他端側軸収容部３８は、一端側挿入軸１７及び他端側挿入軸１８を、綴じ位置（Ｐ１）及び開放位置（Ｐ２）において、収容する寸法が異なるものの、常に収容した状態が維持されるように寸法が設定してある。換言すれば、両収容部３７、３８に収容される両挿入軸１７、１８の寸法の和が、一対の綴じ桿部材１、２とベースとが軸心方向に動作する寸法よりも大きく設定してある。
【００４５】
弾性部材たるコイルばね４は、ベース３の軸心方向における略中央に組み付けられている。このコイルばね４は、番線素材をコイル状に巻回したばね本体４０と、このばね本体４０の一端側及び他端において鉤状箇所にそれぞれ掛け止め得る固定端４１及びねじれ動作端４２とを有している。本実施形態では、これら固定端４１及びねじれ動作端４２の向きを、９０°異ならせて設けてある。そしてベース３が開放位置（Ｐ２）にある状態では、フック１６、３６に両端を支持させたコイルばね４が引き伸ばされ、ベース３を綴じ位置（Ｐ１）に引き戻すような弾性反発力を発揮する。換言すれば弾性部材たるコイルばね４は、ベース３を開放位置（Ｐ２）から綴じ位置（Ｐ１）に向けて変位させる方向に弾性付勢するものである。
【００４６】
本実施形態の綴じ具Ｔを組み立てるにあたっては、まず、第一の綴じ桿部材１の基体１１の内側面１１１と第二の綴じ桿部材２の基体２１の内側面２１１とを当接ないし近接させ、第一の綴じ桿部材１の軸体１３と第二の綴じ桿部材２の軸体２３とを同心軸上に配置する。軸体１３の凸部１３２は軸体２３の凹部２３１内に挿入し、軸体２３の凸部２３２は軸体１３の凹部１３１内に挿入する。両綴じ桿部材１、２の軸体１３、２３は、互いに密接ないし近接して交互に並ぶ様相となる。
【００４７】
次に、両綴じ桿部材１、２を軸心方向に少し湾曲させながら、両端縁に位置する両挿入軸１７、１８をベース３に設けた両軸収容部３７、３８へ収容させる。しかるのち、両挿入軸１７、１８間に挟まれた両綴じ桿部材１、２の軸体１３、２３をくわえ込むようにベース３を組み付ける。即ち、ベース３の側壁３１、３２及び底壁３３に包囲された内部空間に、両綴じ桿部材１、２の軸体１３、２３を嵌め入れる。これにより、各綴じ桿部材１、２が、軸体１３、２３を回転軸として回動することが可能となる。なおかつ、ベース３が、軸体１３、２３に沿って軸心方向にスライド移動することが可能となる。ベース３の側壁３１、３２の内面の突起３１２、３２２は、綴じ桿部材１、２の軸体１３、２３に係合し、軸体１３、２３がベース３から脱出することを抑止する。綴じ桿部材１、２の軸体１３、２３は、ベース３によって被覆される。
【００４８】
なお、予め、ベース３に設けたスライド側フック３６と第二の綴じ桿部材２に設けた開閉側フック１６とに、コイルばね４の両端である固定端４１及びねじれ動作端４２をそれぞれ掛け止めておく。
【００４９】
ベース３は、綴じ桿部材１、２に対して軸心方向に相対変位し、図８、図１０、図１２及び図１６に示す綴じ位置（Ｐ１）と、図１１に示す開放位置（Ｐ２）とを選択的にとり得る。
【００５０】
ベース３が綴じ位置（Ｐ１）にあるとき、図８、図１０、図１２及び図１５等に示すように、一方側の側壁３１に形成している切欠３１１は同じ側の綴じ桿部材１の腕部１４に対して軸心方向にずれており、他方側の側壁３２に形成している切欠３２１も同じ側の綴じ桿部材２の腕部２４に対して軸心方向にずれている。そのため、同図に示しているように、両綴じ桿部材１、２を綴じ桿を開放する方向に回動させようとしても、腕部１４、２４がベース３の側壁３１、３２の端縁に衝突してしまい、回動させることができない。換言すれば、ベース３の側壁３１、３２における切り欠かれていない端縁がストッパとなって、綴じ桿を開放することを禁止する。これにより、綴じ桿に綴じ止めている紙葉類Ｓの抜出は阻止される。
【００５１】
またこのとき、第一の綴じ桿部材１の基体１１と、第二の綴じ桿部材２の基体２１とは、その内側面１１１、２１１同士が当接ないし近接した状態となる。ベース３の一端側に設けた拡開部３５は、両綴じ桿部材１、２の基体１１、２１の一端に（近接はしているものの）必ずしも接触していない。ベース３に設けたフック３６は、第二の綴じ桿部材２に設けたフック２６に比較的近い位置にあり、両フック１６、３６に掛けているコイルばね４は張力を発揮しない。
【００５２】
ここで本実施形態では図１４に示すように、組み付ける前のコイルばね４は、その固定端４１及びねじれ動作端４２は９０°異なる向きを向いている。その半面図１５に特に示すようにベース３のスライド側フック３６と第一の綴じ桿部材１の開閉側フック１６とが、綴じ位置（Ｐ１）では開閉方向で同じ向きを向いている。
【００５３】
すなわちコイルばね４は図１５等に示すように綴じ位置（Ｐ１）にあるとき、伸長していない非伸長状態（Ｑ１）であり、且つ、綴じ要素１２が開放位置（Ｐ２）へ向けて動作する方向にばねのねじれによる反力を蓄積したねじれ姿勢（Ｒ１）をとっていることになる。
【００５４】
翻って、ベース３を綴じ位置（Ｐ１）から開放位置（Ｐ２）に向けてスライド移動させると、図９、図１１、図１３に示すように、一方側の側壁３１に形成している切欠３１１の軸心方向に沿った位置が同じ側の綴じ桿部材１の腕部１４に合致し、また他方側の側壁３２に形成している切欠３２１の軸心方向に沿った位置も同じ側の綴じ桿部材２の腕部２４に合致する。従って、腕部１４、２４が切欠３１１、３２１内に進入できるようになる。のみならず、同一の軸部１３１、２３に連接する腕部１４、２４の対に挟まれた空隙１５、２５に、ベース３の側壁３１、３２における、切欠３１１、３２１の対に挟まれた部位が進入できるようにもなる。結果として、図９、図１１、図１３に示すように、両綴じ桿部材１、２を相対回動させて綴じ桿要素１２、２２を開成させることが許容されることとなる。
【００５５】
同時に、ベース３が綴じ位置（Ｐ１）から開放位置（Ｐ２）へと変位する過程で、ベース３の一端側に設けた拡開部３５のテーパ面３５１、３５２が、両綴じ桿部材１、２の基体１１、２１の一端に形成している傾斜面１１６、２１６に接触し、さらにはこれら基体１１、２１を互いに離反する方向に押し広げる。最終的に、ベース３の拡開部３５は両綴じ桿部材１、２の基体１１、２１の内側面１１１、２１１間に入り込む。つまり、拡開部３５と基体１１、２１の一端とが操作力変換機構として働き、ベース３を軸心方向にスライドさせる操作力を、両綴じ桿部材１、２を、綴じ桿要素１２、２２が開成する方向に回動させる力に変換する。総じて言えば、ベース３を綴じ位置（Ｐ１）から開放位置（Ｐ２）へと変位させることで、ストッパが両綴じ桿部材１、２の腕部１４、２４から軸心方向に沿って退避しつつ、拡開部３５が両綴じ桿部材１、２を押し広げて綴じ桿を開放させる。
【００５６】
ここで本実施形態では図１６に示すようにベース３の変位により、ベース３に設けたスライド側フック３６が第一の綴じ桿部材１に設けた開閉側フック１６から遠ざかるため、両フック２６、３６に掛けているコイルばね４が引き伸ばされて伸長状態（Ｑ２）となり短縮する方向の弾性反発力を蓄積する代わりに、綴じ位置（Ｐ１）で蓄積されていたねじれ方向の反力が開放され非ねじれ姿勢（Ｒ２）、第一の綴じ桿部材１を開成させる方向に弾性付勢するようになる。すなわちこのコイルばね４が、綴じ位置（Ｐ１）及び開放位置（Ｐ２）への一対の綴じ桿部材１、２の軸心方向の動作による変形に対する伸縮方向の反力により一対の綴じ桿部材１、２を弾性付勢するとともに、第一の綴じ桿部材１を、開閉方向の動作に対するコイルばね４自体のねじり方向の反力により開放位置（Ｐ２）へ弾性付勢していることになる。なお当該開放位置（Ｐ２）では、ベース３を開放位置（Ｐ２）から綴じ位置（Ｐ１）に向けて変位させる方向の弾性付勢力、即ちコイルばね４の引っ張り張力が働くが、綴じ桿部材１、２の腕部１４、２４が側壁３１、３２の切欠３１１、３２１の開口縁に係合することから、ベース３は開放位置（Ｐ２）に維持される。
【００５７】
すなわちコイルばね４は開放位置（Ｐ２）にあるとき図１６に示すように、伸長した伸長状態（Ｑ２）であり、且つ、綴じ要素１２はねじれによる反力が開放された非ねじれ姿勢（Ｒ２）をとっていることになる。
【００５８】
そしてこの開放位置（Ｐ２）では、上述したコイルばね４のねじれ方向の弾性付勢部により第一の綴じ桿部材１の腕部１４における外方の突出部１４３はベース３に設けた切欠３１１の当接面３１１ａに当接するまで付勢される。なお第二の綴じ桿部材２は自重によって腕部２４における外方の突出部２４３はベース３に設けた切欠３２１の当接部３２１ａに当接する。
【００５９】
その結果特に図９に示すように開放位置（Ｐ２）では開放位置（Ｐ２）においてベース３及び一対の綴じ桿部材１、２がそれぞれ同時に同一の仮想の平面Ｚ上に接地する。そして当該開放位置（Ｐ２）はコイルばね４の弾性付勢力及び綴じ桿部材１、２の自重によって安定して維持される。
【００６０】
しかる後、この開放位置（Ｐ２）で、使用者が両綴じ桿要素１２、２２を手指で摘んで閉じる操作を行うと、綴じ桿部材１、２が互いに相寄る方向に回動し、各腕部１４、２４がベース３の側壁３１、３２の切欠３１１、３２１から脱出する。従って、ベース３が綴じ位置（Ｐ１）に復帰することが許容される。
【００６１】
綴じ桿部材１、２の基体１１、２２は長尺であるので、多数本存在する綴じ桿の一部を摘んで閉じようとしても、当該部位と他の部位との間でねじれを生じ、綴じ桿部材１、２全体が綴じ桿を閉じる方向に回動しないおそれがある。しかしながら、弾性付勢されているベース３が綴じ位置（Ｐ１）に向けて変位しようとし、その力が側壁３１、３２の切欠３１１、３２１の開口縁を介して綴じ桿部材１、２の腕部１４、２４を内側方に押し戻そうとするため、基体１１、２１のねじれが抑制され、綴じ桿部材１、２全体が回動して全ての綴じ桿を一斉に閉じることができる。
【００６２】
以上のような構成とすることにより、本実施形態に係る綴じ具Ｔは、軸心方向両端に離間禁止部として機能する一端側軸収容部３７及び他端側軸収容部３８を設けるとともにこれら間に弾性部材たるコイルばね４を設けることにより、ベース３における軸心方向の何れかの端部へ強い衝撃を受けた場合であっても、当該ベース３が一対の綴じ桿部材１、２に対し離間する方向に力が働いてしまい一対の綴じ桿部材１、２に対し徐々に剥がれて行くように分離してしまうという可能性を有効に排除している。その結果、通常使用におけるあらゆる状況において紙葉類Ｓを綴じ得る状態を安定して維持できる。すなわち本実施形態によれば、一対の綴じ桿部材１、２とベース３とが外れ難く安定した動作を維持し得る綴じ具Ｔが実現されている。特に本実施形態では、コイルばね４を軸心方向他端縁に設けていないので、ベース３を綴じ位置（Ｐ１）から開放位置（Ｐ２）へ一端側軸収容部３７を手指で押圧操作するときに、ベース３が撓んでしまう寸法がベース３全体に及ばずに、ベース３の不要な撓みを有効に回避している。
【００６３】
また、綴じ具Ｔの組み付けを容易に行い得るようにするために本実施形態では、弾性部材たるコイルばね４を、ベース３の軸心方向における略中央に設けている。
【００６４】
そして、開放位置（Ｐ２）において綴じ具Ｔを安定させることにより容易に紙葉類Ｓの加除作業を行い得る構成として本実施形態では、ベース３を、開放位置（Ｐ２）においてベース３及び一対の綴じ桿部材１、２がそれぞれ同時に同一平面である仮想の平面Ｚ（図９）上に接地するように一対の綴じ桿部材１、２の動作を許容する形状とすべく、切欠３１１、３２１の当接面３１１ａ、３２１ａの形状を設定している。
【００６５】
特に、簡素な構成を維持しつつ、綴じ位置（Ｐ１）及び開放位置（Ｐ２）間のスムーズな操作と綴じ要素１２、２２の開閉方向に係るスムーズな動作とを両立するために本実施形態では、弾性部材を一例として単一のコイルばね４とし、このコイルばね４が綴じ位置（Ｐ１）及び開放位置（Ｐ２）への一対の綴じ桿部材１、２の軸心方向の動作による変形に対する伸縮方向の反力により一対の綴じ桿部材１、２を弾性付勢するとともに、一対の綴じ桿部材１、２のうち第一の綴じ桿部材１のコイルばね４自体のねじり方向の弾性反力により第一の綴じ桿部材１を弾性付勢するようにしている。
【００６６】
そして本実施形態ではコイルばね４が、第一の綴じ桿部材１を開放位置（Ｐ２）へ向けて弾性付勢しているものし、開放位置（Ｐ２）で第一の綴じ桿部材１を安定して位置させている。
【００６７】
特に本実施形態では、コイルばね４が、開放位置（Ｐ２）において伸長方向へ弾性変形しているものとしてねじれ方向の弾性反発力をより増大させ、開放位置（Ｐ２）へ付勢する作用力をより増大させることでスムーズな綴じ要素１２の開成を促している。
【００６８】
簡素な構成にて構成し得る離間禁止部の一例として、本実施形態では離間禁止部が、一対の綴じ桿部材１、２の両端に設けた両挿入軸１７、１８を収容し得る軸収容穴３７、３８である態様を適用している。
【００６９】
以上、本発明の実施形態について説明したが、各部の具体的な構成は、上述した実施形態のみに限定されるものではなく、本発明の趣旨を逸脱しない範囲で種々変形が可能である。
【００７０】
例えば上記実施形態では、第一の綴じ桿部材と第二の綴じ桿部材とは別体の部材であったが、両者を樹脂ヒンジを介して一体成形してもよい。また上記実施形態では弾性部材としてコイルばねを適用したが、弾性部材は当該コイルばねには限定されない。その他の態様のもの、例えば板ばねや樹脂ばね、ゴムばね等を採用しても構わない。また弾性部材としてコイルばねを用いた場合、当該コイルばねの伸縮方向による弾性付勢力は、綴じ具を綴じ位置とする方向であってもよい。また勿論、コイルばねをねじりコイルばねとして作用させる弾性付勢力は綴じ桿要素を開成させる方向であっても閉止させる方向であっても良い。
【００７１】
さらに、操作力変換機構（ベースの一端側の拡開部）は、必須の構成要素ではない。（ベースを開放位置においた後）両綴じ桿部材を相対回動させて綴じ桿を開くために、綴じている紙葉類を介して綴じ桿要素を引っ張るようにしてもよいし、綴じている紙葉類の自重を利用してもよい。あるいは、コイルばねによる付勢によって綴じ桿要素を開成させるようにしてもよい。
【００７２】
ここで他方、従来では綴じ具を綴じ位置、開放位置とするための操作のために用いる弾性部材を有する綴じ具では、綴じ要素を開成させるか或いは閉止させるための開閉方向へ付勢する機能を要する場合は別異の構成要素を追加する必要があった。
【００７３】
そして、弾性部材としてコイルばねを使用していた従来の綴じ具では、上記の内操作のために用いているコイルばねが、綴じ要素の開閉動作に応じてコイルの巻きに準じてねじられてしまうことにより不要な弾性反発力を蓄積してしまい、当該開閉動作に支障を来してしまうということがあった。勿論当該支障は、コイルばねの取付部位、具体的にはばねを掛けるためのフックの根本等に回転継ぎ手を用いれば解消される。しかし綴じ具における係る部位に回転継ぎ手等の機構を用いることは、それはそのまま部品点数の削減や、成形時にその部位のみ局所的に精密さが要求されるなど、新たな無駄や不具合を誘引してしまうことになる。
【００７４】
そこで上記実施形態に係る綴じ具は、簡素な構成でありながら綴じ位置から開放位置までの確実な操作と綴じ要素の円滑な開閉動作を併せて両立し得るものである。
【００７５】
すなわち上記実施形態に斯かる綴じ具は、所定の軸心周りに相対回動可能であり、その回動動作を通じて綴じ桿要素を開閉させる一対の綴じ桿部材と、
一対の綴じ桿部材に対して軸心方向に相対変位可能としつつ一対の綴じ桿部材を支持するものであり、一対の綴じ桿部材が閉ループを形成することにより用紙を綴じることができる綴じ位置及び綴じ桿を互いに離間し得るようにして紙葉類を挿抜可能とした開放位置を選択的にとり得るベースと、
ベースに設けられ、一対の綴じ桿部材に対しベースを綴じ位置及び開放位置のうち何れか一方又は他方へ弾性付勢するコイルばねとを有する綴じ具であって、
このコイルばねが、綴じ位置及び開放位置への一対の綴じ桿部材の軸心方向の動作による変形に対する伸縮方向の反力により一対の綴じ桿部材を弾性付勢するとともに、一対の綴じ桿部材のうち少なくとも一の綴じ桿部材を、開閉方向の動作に対するコイルばね自体のねじり方向の反力により弾性付勢しているようにした構成を開示している。
【００７６】
このように構成することで上記実施形態に係る綴じ具は、一つのコイルばねを、綴じ位置、開放位置の切り換えのみならず、綴じ要素の開閉動作へも貢献させることができるので、それぞれの動作を司るための格別の弾性部材を別途組み付ける必要が無く、容易且つ簡便に部品点数の削減を図ることが可能となっている。
【００７７】
その他、各部の具体的構成についても上記実施形態に限られるものではなく、本発明の趣旨を逸脱しない範囲で種々変形が可能である。
【産業上の利用可能性】
【００７８】
本発明は紙葉類を綴じ止めることができる綴じ具として利用することができる。
【符号の説明】
【００７９】
１…第一の綴じ桿部材
１２…綴じ桿要素（第一綴じ桿要素）
１７…挿入軸（一端側挿入軸）
１８…挿入軸（他端側挿入軸）
２…第二の綴じ桿部材
２２…綴じ桿要素（第二綴じ桿要素）
３…ベース
３７…離間禁止部、軸収容部（一端側軸収容部）
３８…離間禁止部、軸収容部（他端側軸収容部）
４…コイルばね
Ｔ…綴じ具
Ｐ１…綴じ位置
Ｐ２…開放位置
Ｑ２…伸長状態
Ｑ１…非伸長状態
Ｒ１…ねじれ姿勢
Ｒ２…非ねじれ姿勢
【図１】
0006476804.tif 000002
【図２】
0006476804.tif 000003
【図３】
0006476804.tif 000004
【図４】
0006476804.tif 000005
【図５】
0006476804.tif 000006
【図６】
0006476804.tif 000007
【図７】
0006476804.tif 000008
【図８】
0006476804.tif 000009
【図９】
0006476804.tif 000010
【図１０】
0006476804.tif 000011
【図１１】
0006476804.tif 000012
【図１２】
0006476804.tif 000013
【図１３】
0006476804.tif 000014
【図１４】
0006476804.tif 000015
【図１５】
0006476804.tif 000016
【図１６】
0006476804.tif 000017